(57)【特許請求の範囲】
【請求項１】
デバイスツーデバイス（Ｄ２Ｄ）通信ネットワーク（１０ａ）内の第一無線トランシーバデバイス（１２ａ）と第二無線トランシーバデバイス（１２ｂ）との間の無線Ｄ２Ｄリンクをサポートする前記Ｄ２Ｄ通信ネットワークにおける前記第一無線トランシーバデバイスによって実行される方法であって、前記第二無線トランシーバデバイスは、前記第一無線トランシーバデバイスを介してセルラー通信ネットワーク（１０ｂ）へのアクセスを提供され、前記方法は、
無線Ｄ２Ｄ通信リソース上で、前記第二無線トランシーバデバイス（１２ｂ）から能力情報（４１）を受信すること（Ｓ１０）と、
前記受信された能力情報に基づく電力節約モード設定についての電力節約情報（４３）を前記第二無線トランシーバデバイス（１２ｂ）に送信することであって、前記電力節約情報は前記第二無線トランシーバデバイスのスリープ期間とアクティブ期間とについての情報を含む、こと（Ｓ２０）と、
前記電力節約モード設定にしたがった前記第二無線トランシーバデバイスのスリープ期間の終わりに伴い、前記第一無線トランシーバデバイス（１２ａ）との前記第二無線トランシーバデバイス（１２ｂ）の再同期を容易にするために、前記電力節約モード設定に少なくとも部分的に基づくタイミングで同期信号（４４）を送信すること（Ｓ３０）と、を有する方法。
【請求項２】
請求項１に記載の方法であって、前記電力節約情報（４３）は、無線Ｄ２Ｄ通信リソースの第一セット上で送信され（Ｓ２０）、前記無線Ｄ２Ｄ通信リソースの第一セットは前記第一無線トランシーバデバイス（１２ａ）のために利用可能な無線Ｄ２Ｄ通信リソースのサブセットである、方法。
【請求項３】
請求項２に記載の方法であって、前記電力節約情報（４３）は、さらに、前記第一無線トランシーバデバイス（１２ａ）と前記第二無線トランシーバデバイス（１２ｂ）との間の無線Ｄ２Ｄ通信リソースの第二セットについての情報を含み、前記無線Ｄ２Ｄ通信リソースの第二セットは、前記無線Ｄ２Ｄ通信リソースの第一セットとは少なくとも部分的に異なる、前記第一無線トランシーバデバイスのために利用可能な無線Ｄ２Ｄ通信リソースのサブセットである、方法。
【請求項４】
請求項３に記載の方法であって、前記同期信号（４４）は、前記無線Ｄ２Ｄ通信リソースの第二セット上で送信される（Ｓ３０）、方法。
【請求項５】
請求項１ないし４のいずれか一項に記載の方法であって、前記電力節約情報（４３）は、さらに、前記第二無線トランシーバデバイス（１２ｂ）がアクティブ期間中にモニターすべきである信号についての情報を含む、方法。
【請求項６】
請求項１ないし５のいずれか一項に記載の方法であって、さらに、
前記受信（Ｓ１０）された能力情報（４１）についての情報を前記セルラー通信ネットワーク（１０ｂ）に送信すること（Ｓ１２）を含む、方法。
【請求項７】
請求項６に記載の方法であって、さらに、
前記第二無線トランシーバデバイス（１２ｂ）に前記電力節約情報（４３）を送信（Ｓ２０）する前に、前記セルラー通信ネットワーク（１０ｂ）から前記電力節約モード設定についての電力節約情報を受信すること（Ｓ１４）を含む、方法。
【請求項８】
請求項１ないし７のいずれか一項に記載の方法であって、さらに、
前記同期信号（４４）の送信（Ｓ３０）の後で、前記電力節約モード設定にしたがったアクティブ期間に遷移するよう、前記第二無線トランシーバデバイス（１２ｂ）に促すためのウェイクアップ信号（４５）を送信すること（Ｓ３２）を含む、方法。
【請求項９】
請求項１ないし８のいずれか一項に記載の方法であって、さらに、
前記電力節約モード設定にしたがった前記第二無線トランシーバデバイスのスリープ期間中に、前記第二無線トランシーバデバイス（１２ｂ）を宛先とし、かつ、前記セルラー通信ネットワーク（１０ｂ）から受信された情報を記憶すること（Ｓ２２）と、
前記電力節約モード設定にしたがった前記第二無線トランシーバデバイスのアクティブ期間中に、前記第二無線トランシーバデバイス（１２ｂ）へ前記情報を送信すること（Ｓ３４）と、を含む、方法。
【請求項１０】
請求項１ないし９のいずれか一項に記載の方法であって、前記電力節約情報は、前記電力節約モード設定にしたがった、前記第二無線トランシーバデバイス（１２ｂ）の前記スリープ期間中に動作するスリープ期間タイマーと、前記第二無線トランシーバデバイスの前記アクティブ期間中に動作するアクティブ期間タイマーとについての情報を含む、方法。
【請求項１１】
デバイスツーデバイス（Ｄ２Ｄ）通信ネットワーク（１０ａ）内の第一無線トランシーバデバイス（１２ａ）と第二無線トランシーバデバイス（１２ｂ）との間の無線Ｄ２Ｄリンクをサポートする前記Ｄ２Ｄ通信ネットワークのための前記第一無線トランシーバデバイスであって、前記第一無線トランシーバデバイスは、前記第二無線トランシーバデバイスに対して、前記第一無線トランシーバデバイスを介したセルラー通信ネットワーク（１０ｂ）へのアクセスを提供するように構成されており、前記第一無線トランシーバデバイスは、
プロセッシングユニット（２１）と、
前記プロセッシングユニット（２１）によって実行可能なインストラクション（３１）を記憶する記憶媒体（２３）と、を含み、それによって前記第一無線トランシーバデバイス（１２ａ）は、
無線Ｄ２Ｄ通信リソース上で、前記第二無線トランシーバデバイス（１２ｂ）から能力情報（４１）を受信し、
前記受信された能力情報に基づく電力節約モード設定についての電力節約情報（４３）を前記第二無線トランシーバデバイス（１２ｂ）に送信し、前記電力節約情報は前記第二無線トランシーバデバイスのスリープ期間とアクティブ期間とについての情報を含み、
前記電力節約モード設定にしたがった前記第二無線トランシーバデバイスのスリープ期間の終わりに伴い、前記第一無線トランシーバデバイス（１２ａ）との前記第二無線トランシーバデバイス（１２ｂ）の再同期を容易にするために、前記電力節約モード設定に少なくとも部分的に基づくタイミングで同期信号（４４）を送信するように動作する、第一無線トランシーバデバイス。
【請求項１２】
デバイスツーデバイス（Ｄ２Ｄ）通信ネットワーク（１０ａ）内の第二無線トランシーバデバイス（１２ｂ）と第一無線トランシーバデバイス（１２ａ）との間の無線Ｄ２Ｄリンクをサポートする前記Ｄ２Ｄ通信ネットワークにおける前記第二無線トランシーバデバイスによって実行される方法であって、前記第二無線トランシーバデバイスは、前記第一無線トランシーバデバイスを介してセルラー通信ネットワーク（１０ｂ）へのアクセスを提供され、前記方法は、
無線Ｄ２Ｄ通信リソース上で、前記第一無線トランシーバデバイス（１２ａ）へ能力情報（４１）を送信すること（Ｓ１１０）と、
電力節約モード設定についての電力節約情報（４３）を決定することであって、前記電力節約情報は、前記第二無線トランシーバデバイスのスリープ期間とアクティブ期間とについての情報を含む、こと（Ｓ１２０）と、
前記電力節約モード設定にしたがってスリープ期間に遷移すること（Ｓ１３０）と、
前記スリープ期間の終わりに伴い、前記第一無線トランシーバデバイス（１２ａ）から同期信号（４４）を受信することによって前記第一無線トランシーバデバイスと再同期すること（Ｓ１４０）とを含む、方法。
【請求項１３】
請求項１２に記載の方法であって、前記電力節約情報を決定すること（Ｓ１２０）は、前記第一無線トランシーバデバイス（１２ａ）から前記電力節約情報（４３）を受信すること（Ｓ１２２）を含む、方法。
【請求項１４】
請求項１３に記載の方法であって、前記電力節約情報（４３）は、無線Ｄ２Ｄ通信リソースの第一セット上で受信される（Ｓ１２２）、方法。
【請求項１５】
請求項１４に記載の方法であって、前記電力節約情報（４３）は、さらに、前記第一無線トランシーバデバイス（１２ａ）と前記第二無線トランシーバデバイス（１２ｂ）との間の無線Ｄ２Ｄ通信リソースの第二セットについての情報を含み、前記無線Ｄ２Ｄ通信リソースの第二セットは、前記無線Ｄ２Ｄ通信リソースの第一セットとは少なくとも部分的に異なる、方法。
【請求項１６】
請求項１５に記載の方法であって、前記再同期すること（Ｓ１４０）は、
前記無線Ｄ２Ｄ通信リソースの第二セット上で前記同期信号（４４）を受信すること（Ｓ１４１）と、
前記無線Ｄ２Ｄ通信リソースの第二セット上で同期することに成功すること（Ｓ１４２）と、を含む、方法。
【請求項１７】
請求項１５に記載の方法であって、前記再同期すること（Ｓ１４０）は、
前記無線Ｄ２Ｄ通信リソースの第二セット上での同期が失敗したことを判定すること（Ｓ１４５）と、
前記無線Ｄ２Ｄ通信リソースの第一セット上で前記同期信号（４４）を受信すること（Ｓ１４６）と、
前記無線Ｄ２Ｄ通信リソースの第一セット上で同期することに成功すること（Ｓ１４７）と、を含む、方法。
【請求項１８】
請求項１２ないし１７のいずれか一項に記載の方法であって、前記電力節約情報（４３）は、さらに、前記第二無線トランシーバデバイス（１２ｂ）がアクティブ期間中にモニターすべきである信号についての情報を含む、方法。
【請求項１９】
請求項１２ないし１８のいずれか一項に記載の方法であって、さらに、
前記再同期すること（Ｓ１４０）の後で、前記電力節約モード設定にしたがったアクティブ期間に遷移するよう、前記第二無線トランシーバデバイス（１２ｂ）に促すウェイクアップ信号（４５）を受信すること（Ｓ１５０）を含む、方法。
【請求項２０】
請求項１２ないし１９のいずれか一項に記載の方法であって、前記電力節約情報は、前記電力節約モード設定にしたがった、前記第二無線トランシーバデバイス（１２ｂ）の前記スリープ期間中に動作するスリープ期間タイマーと、前記第二無線トランシーバデバイスの前記アクティブ期間中に動作するアクティブ期間タイマーとについての情報を含む、方法。
【請求項２１】
デバイスツーデバイス（Ｄ２Ｄ）通信ネットワーク（１０ａ）内の第二無線トランシーバデバイス（１２ｂ）と第一無線トランシーバデバイス（１２ａ）との間の無線Ｄ２Ｄリンクをサポートする前記Ｄ２Ｄ通信ネットワークのための前記第二無線トランシーバデバイスであって、前記第二無線トランシーバデバイスは、前記第一無線トランシーバデバイスを介してセルラー通信ネットワーク（１０ｂ）へのアクセスを提供されるように構成されており、前記第二無線トランシーバデバイスは、
プロセッシングユニット（２１）と、
前記プロセッシングユニットによって実行可能なインストラクション（３１）を記憶する記憶媒体（２３）と、を含み、それによって前記第二無線トランシーバデバイス（１２ｂ）は、
無線Ｄ２Ｄ通信リソース上で、前記第一無線トランシーバデバイス（１２ａ）へ能力情報（４１）を送信し、
電力節約モード設定についての電力節約情報（４３）を決定し、前記電力節約情報は、前記第二無線トランシーバデバイスのスリープ期間とアクティブ期間とについての情報を含み、
前記電力節約モード設定にしたがってスリープ期間に遷移し、
前記スリープ期間の終わりに伴い、前記第一無線トランシーバデバイス（１２ａ）から同期信号（４４）を受信することによって前記第一無線トランシーバデバイスと再同期するように動作する、第二無線トランシーバデバイス。
【請求項２２】
無線トランシーバデバイス（１２）に含まれているプロセッサ回路（２１）で実行されると、前記無線トランシーバデバイス（１２）に請求項１ないし１０および請求項１２ないし２０のいずれか一項に記載の前記方法を実行させるコンピュータプログラム（３１）。
【請求項２３】
コンピュータプログラムコードを含むコンピュータプログラム（３１）であって、第二無線トランシーバデバイス（１２ｂ）が第一無線トランシーバデバイス（１２ａ）を介してセルラー通信ネットワーク（１０ｂ）へのアクセスを提供され、Ｄ２Ｄ通信ネットワーク（１０ａ）内の前記第二無線トランシーバデバイスと前記第一無線トランシーバデバイスとの間の無線Ｄ２Ｄリンクをサポートする当該Ｄ２Ｄ通信ネットワークにおける前記第一無線トランシーバデバイスのプロセッサ回路（２１）によって実行されると、前記第一無線トランシーバデバイスに、
無線Ｄ２Ｄ通信リソース上で、前記第二無線トランシーバデバイス（１２ｂ）から能力情報（４１）を受信すること（Ｓ１０）と、
前記受信された能力情報に基づく電力節約モード設定についての電力節約情報（４３）を前記第二無線トランシーバデバイス（１２ｂ）に送信することであって、前記電力節約情報は、前記第二無線トランシーバデバイスのスリープ期間とアクティブ期間とについての情報を含む、こと（Ｓ２０）と、
前記電力節約モード設定にしたがった前記第二無線トランシーバデバイスのスリープ期間の終わりに伴い、前記第一無線トランシーバデバイス（１２ａ）との前記第二無線トランシーバデバイス（１２ｂ）の再同期を容易にするために、前記電力節約モード設定に少なくとも部分的に基づくタイミングで同期信号（４４）を送信すること（Ｓ３０）と、を実行させる、コンピュータプログラム。
【請求項２４】
コンピュータプログラムコードを含むコンピュータプログラム（３１）であって、第二無線トランシーバデバイス（１２ｂ）が第一無線トランシーバデバイス（１２ａ）を介してセルラー通信ネットワーク（１０ｂ）へのアクセスを提供され、Ｄ２Ｄ通信ネットワーク（１０ａ）内の前記第一無線トランシーバデバイスと前記第二無線トランシーバデバイスとの間の無線Ｄ２Ｄリンクをサポートする前記Ｄ２Ｄ通信ネットワークにおける前記第二無線トランシーバデバイスのプロセッサ回路（２１）によって実行されると、前記第二無線トランシーバデバイス（１２ｂ）に、
無線Ｄ２Ｄ通信リソース上で、前記第一無線トランシーバデバイス（１２ａ）へ能力情報（４１）を送信すること（Ｓ１１０）と、
電力節約モード設定についての電力節約情報（４３）を決定することであって、前記電力節約情報は、前記第二無線トランシーバデバイスのスリープ期間とアクティブ期間とについての情報を含む、こと（Ｓ１２０）と、
前記電力節約モード設定にしたがってスリープ期間に遷移すること（Ｓ１３０）と、
前記スリープ期間の終わりに伴い、前記第一無線トランシーバデバイス（１２ａ）から同期信号（４４）を受信することによって前記第一無線トランシーバデバイスと再同期すること（Ｓ１４０）と、を実行させる、コンピュータプログラム。
【請求項２５】
請求項２２ないし２４のいずれか一項に記載されたコンピュータプログラム（３１）を記憶したコンピュータ可読記憶媒体。
【発明の詳細な説明】
【技術分野】
【０００１】
本開示は無線デバイスツーデバイス（Ｄ２Ｄ）ベースの通信ネットワークにおける無線トランシーバデバイスにおける電力を節約するための方法およびデバイスに関する。
【背景技術】
【０００２】
通信ネットワークでは、所与の通信プロトコル、そのパラメータおよび通信ネットワークが配置される物理的な環境について、良い性能とキャパシティを得るために挑戦すべきことがある。
【０００３】
たとえば、Ｄ２Ｄ通信は、通信デバイスらが近接していることの利点を得て、それと同時に、通信デバイスらに制御された干渉環境において動作することを可能ならしめる手段として、かつ、セルラー通信ネットワークの配下に位置するものとして、近年に提案されてきた。典型的には、たとえば、Ｄ２Ｄ目的のセルラーアップリンクリソースを予約することによって、そのようなＤ２Ｄ通信は、セルラー通信ネットワークと同じスペクトルを共有することが提案されている。
【０００４】
Ｄ２Ｄ通信は、当分野において知られているように、アドホックネットワークとセルラーネットワークとを含む既存の無線技術のコンポーネントである。Ｄ２Ｄ通信をベースとした技術の例は、ブルートゥースやＷｉＦｉダイレクトのような電気電子学会（ＩＥＥＥ）８０２．１１規格一式のいくつかの改良型などを含む。これらのＤ２Ｄベースの通信システムはアンライセンスドバンド（免許不要バンド）で動作する。
【０００５】
Ｄ２Ｄ通信は第三世代パートナーシッププロジェクト（３ＧＰＰ）ロングタームエボリューション（ＬＴＥ）のリリース１２（Ｒｅｌ−１２）のために現在のところ策定中である。サービスの範囲は特定されており、互いに近接しているユーザ装置（すなわち、通信デバイス）に基づいて３ＧＰＰシステムによって提供可能とるものである。
【０００６】
Ｄ２Ｄ通信リンクを使用する二つの方法は、ダイレクトディスカバリとダイレクト通信である。どちらのケースでも、送信側通信デバイスは、少なくとも意図された受信側通信デバイスによって直接的に受信されるべきであるＤ２Ｄ信号を送信する。追加の用途は、中継を含み、ネットワークインフラストラクチャもしくは通信デバイスから受信されたデータを他の通信デバイスに通信デバイスが中継したり、この反対のことを実行したりすることである。このようなＤ２Ｄ通信から利益を受けうるいくつかのサービスは商業サービスやパブリックセーフティ（治安）である。
【０００７】
Ｄ２Ｄ目的のために専用のスペクトラムを割り当てることはほとんどありえない選択肢とみなされており、なぜならスペクトラムは乏しいリソースだからであり、Ｄ２Ｄサービスとセルラーサービスとの間での（動的）共有化はより柔軟性があり、より高いスペクトラム効率を提供できるだろう。物理レイヤーの観点からは、Ｒｅｌ−１２のＤ２Ｄリンクはアップリンクスペクトラム（周波数分割デュープレックス、ＦＤＤの場合）またはアップリンクサブフレーム（時分割デュープレックス、ＴＤＤの場合）で運用される。Ｄ２Ｄ信号とワイドエリアネットワークの信号は時分割多重（ＴＤＭ）を使用して所与の搬送波上で多重化可能である。
【０００８】
セルラー通信ネットワークおよび／またはＤ２Ｄネットワークが複数の搬送波上で運用されるように構成されるといったマルチキャリアシナリオにおいても、Ｄ２Ｄベースの通信ネットワークは運用可能とされるべきである。そのような搬送波は単一のネットワーク事業者に属している必要は無く、コーディネートおよび同期している必要もない。
【０００９】
３ＧＰＰ  ＬＴＥは、マシンタイプ通信（ＭＴＣ）の効率よいサポートのために競合無線アクセス技術として研究されてきた。いくつかのＭＴＣの使用ケースは、既存のセルラー通信ネットワークの確定されたカバレッジと比較して、カバレッジ拡張を必要とする、建物内のより深い内部に配置されたデバイスに関連している。しかし、すでに配置されている無線アクセス技術を使用してＭＴＣユーザ装置に対してサービスを提供することは、ネットワーク事業者にとって効率が良いだろう。
【００１０】
３ＧＰＰ  ＬＴＥ  Ｒｅｌ−１２は、より長いバッテリーライフを可能とするパワーセービング（電力節約）モードと、モデムの複雑さを低減する新しいユーザ装置カテゴリーとを策定した。３ＧＰＰ  ＬＴＥ  Ｒｅｌ−１３では、ＭＴＣのさらなる発展が、ユーザ装置のコストを削減し、カバレッジ拡張を提供するであろう。コスト削減を実現する一つの要素は、いずれかのネットワークバンド幅におけるダウンリンクおよびアップリンクにおいて、約１．４ＭＨｚの、削減されたユーザ装置無線周波数バンド幅を導入することである。ＭＴＣユーザ装置のコスト削減は、インターネット・オブ・シングス（ＩｏＴ）のコンセプトの実装のために、さらに寄与するであろう。多くの用途のために使用されるＭＴＣユーザ装置は低い動作消費電力を必要とし、頻繁でない小さなバースト送信で通信することが期待される。
【００１１】
低電力で低複雑なＭＴＣ通信のための提案として、ＭＴＣデバイスがＬＴＥ  Ｄ２Ｄ通信を使用することによってリレー（中継）ノードと通信してもよいだろう。ついで中継ノードはセルラー通信ネットワーク（ＬＴＥなど）の無線アクセスネットワークノード（進化型ノードＢ（ｅＮｏｄｅＢまたはｅＮＢ）など）と通信してもよいだろう。このようなアプローチを使用する利点の一つは、（Ｒｅｌ−１３で必要とされている）カバレッジ拡張が達成されることと、ＭＴＣの複雑性のいくつかを単一の中継ノードに移すことができることである。よって、（いくつかのＭＴＣデバイスらのためのリレーとして動作しうる）中継ノードを介したＤ２Ｄ通信を使用することによって、ＬＴＥベースのキャピラリー（毛細血管的な）ネットワーク構造を構築することが可能となる。
【００１２】
上述したＤ２Ｄ通信アプローチに基づいて、リレーとして動作する無線デバイスと、ＭＴＣデバイスとして動作する無線デバイスとの間の柔軟なＤ２Ｄ通信リンクを用いたマルチホップシステムをセットアップすることが想像される。しかし、リレーとして動作する無線デバイスとＭＴＣデバイスとして動作する無線デバイスとの間のリンクの効率よいセットアップのためのサポートは現在のところ存在していないし、低電力でかつ低コストＭＴＣをサポートするための効率よいマルチホップ無線インタフェースも存在しない。
【００１３】
したがって、マルチホップシナリオにおける電力節約モード（ＰＳＭ）を策定し、かつ、構成することについてのニーズが存在する。単一リンクであるｅＮＢ−ＭＴＣコネクションのために策定された従来技術であるＲｅｌ−１２のＰＳＭを適用することは、いくつかの欠点を招いてしまう。
【００１４】
・ＰＳＭ  Ｒｅｌ−１２は、スモールバンド幅（ＢＷ）のＭＴＣデバイスのために策定されておらず、従来技術の方法を適用することができない。
【００１５】
・ＰＳＭ  Ｒｅｌ−１２は、ＴＤＤ  Ｄ２Ｄのために策定されていないし、リレーとＭＴＣユーザデバイス（ＵＥ）との間の通信に関する特定の制限についても策定されていない。
【００１６】
・リレーノードを介して通信するスモールＢＷ  ＭＴＣ  ＵＥのフレームワーク内にフィットする、ＰＳＭのためのリカバリー／リエスタブリッシュメント（再確立）プロシージャが、Ｒｅｌ−１２では策定されていない。
【００１７】
・ＰＳＭ  Ｒｅｌ−１２は、一般に、マルチホップシステムのために策定されてはいない。
【発明の概要】
【００１８】
本開示の目的は、従来技術の問題を少なくとも緩和する、マルチホップシナリオにおける無線トランシーバデバイス（例：ＵＥ）において電力節約モードを設定するための改良された方法およびデバイスを提供することである。
【００１９】
本開示の観点によれば、デバイスツーデバイス（Ｄ２Ｄ）通信ネットワーク内の第一無線トランシーバデバイスと第二無線トランシーバデバイスとの間の無線Ｄ２ＤリンクをサポートするＤ２Ｄ通信ネットワークにおいて第一無線トランシーバデバイスによって実行される方法が提供される。第二無線トランシーバデバイスは、第一無線トランシーバデバイスを介してセルラー通信ネットワークへのアクセスを提供される。本方法は、無線Ｄ２Ｄ通信リソース上で、第二無線トランシーバデバイスからキャパビリティインフォメーション（能力情報）を受信することを含む。本方法はさらに、受信された能力情報に基づく電力節約モード設定についての電力節約情報を、第二トランシーバデバイスに送信することを含む。電力節約情報は、第二トランシーバデバイスのスリープ期間とアクティブ期間とについての情報を含む。本方法はさらに、電力節約モード設定にしたがって第二無線トランシーバデバイスのスリープ期間の終わりに伴い、第一無線トランシーバデバイスとの第二無線トランシーバデバイスの再同期を容易にするために、電力節約モード設定に少なくとも部分的に基づくタイミングを持つ同期信号を送信することを含む。
【００２０】
本開示の他の観点によれば、デバイスツーデバイス（Ｄ２Ｄ）通信ネットワーク内の第一無線トランシーバデバイスと第二無線トランシーバデバイスとの間の無線Ｄ２ＤリンクをサポートするＤ２Ｄ通信ネットワークのための第一無線トランシーバデバイスが提供される。第一無線トランシーバデバイスは、第一無線トランシーバデバイスを介してセルラー通信ネットワークへのアクセスを第二無線トランシーバデバイスに提供するように構成されている。第一無線トランシーバデバイスは、プロセッシングユニットと、当該プロセッシングユニットにより実行可能なインストラクションを記憶する記憶媒体とを有し、これにより、第一無線トランシーバデバイスは、無線Ｄ２Ｄ通信リソース上で、第二無線トランシーバから能力情報を受信するように動作可能となる。第一無線トランシーバデバイスは、さらに、受信された能力情報に基づく電力節約モード設定についての電力節約情報を、第二トランシーバデバイスに送信するように動作する。電力節約情報は、第二トランシーバデバイスのスリープ期間とアクティブ期間とについての情報を含む。第一無線トランシーバデバイスは、さらに、電力節約モード設定にしたがって第二無線トランシーバデバイスのスリープ期間の終わりに伴い、第一無線トランシーバデバイスとの第二無線トランシーバデバイスの再同期を容易にするために、電力節約モード設定に少なくとも部分的に基づくタイミングを持つ同期信号を送信するように動作する。
【００２１】
本開示の他の観点によれば、デバイスツーデバイス（Ｄ２Ｄ）通信ネットワーク内の第二無線トランシーバデバイスと第一無線トランシーバデバイスとの間の無線Ｄ２ＤリンクをサポートするＤ２Ｄ通信ネットワークにおいて第二無線トランシーバデバイスによって実行される方法が提供される。第二無線トランシーバデバイスは、第一無線トランシーバデバイスを介してセルラー通信ネットワークへのアクセスを提供される。本方法は、無線Ｄ２Ｄ通信リソース上で、第一無線トランシーバデバイスへ能力情報を送信することを含む。本方法はさらに、電力節約モード設定についての電力節約情報を決定することを含み、電力節約情報は、第二トランシーバデバイスのスリープ期間とアクティブ期間についての情報を含む。本方法はさらに、電力節約モード設定にしたがってスリープ期間に遷移することを含む。本方法はさらに、スリープ期間の終わりに伴い、第一無線トランシーバデバイスから同期信号を受信することによって第一無線トランシーバデバイスと再同期することを含む。
【００２２】
本開示の他の観点によれば、デバイスツーデバイス（Ｄ２Ｄ）通信における第二無線トランシーバデバイスと第一無線トランシーバデバイスとの間の無線Ｄ２ＤリンクをサポートするＤ２Ｄ通信ネットワークのための第二無線トランシーバデバイスが提供される。第二無線トランシーバデバイスは、第一無線トランシーバデバイスを介したセルラー通信ネットワークへのアクセスを提供されるように構成されている。第二無線トランシーバデバイスは、プロセッシングユニットと、当該プロセッシングユニットにより実行可能なインストラクションを記憶する記憶媒体とを有し、これにより、第二無線トランシーバデバイスは、無線Ｄ２Ｄ通信リソース上で、第一無線トランシーバへ能力情報を送信するように動作可能となる。第二無線トランシーバデバイスは、さらに、電力節約モード設定についての電力節約情報を決定するように動作する。電力節約情報は、第二トランシーバデバイスのスリープ期間とアクティブ期間とについての情報を含む。第二無線トランシーバデバイスは、電力節約モード設定にしたがってスリープ期間に遷移するように動作する。第二無線トランシーバデバイスは、スリープ期間の終わりに伴い、第一無線トランシーバデバイスから同期信号を受信することによって、第一無線トランシーバデバイスと再同期するように構成されている。
【００２３】
本開示の他の観点によれば、無線トランシーバデバイスに含まれているプロセッサ回路上でコンピュータ実行可能なコンポーネントが実行されと、本開示の本方法の実施形態を無線トランシーバデバイスに実行させるための、コンピュータ実行可能なコンポーネントを含むコンピュータプログラムプロダクトが提供される。
【００２４】
本発明の他の観点によれば、デバイスツーデバイス（Ｄ２Ｄ）通信ネットワーク内の第一無線トランシーバデバイスと第二無線トランシーバデバイスとの間の無線Ｄ２ＤリンクをサポートするＤ２Ｄ通信ネットワークにおいて、第一無線トランシーバデバイスを介したセルラー通信ネットワークへのアクセスが第二無線トランシーバデバイスに提供され、第一無線トランシーバデバイスのプロセッサ回路上で実行されると、第一無線トランシーバデバイスに、無線Ｄ２Ｄ通信リソース上で、能力情報を第二無線トランシーバデバイスから受信させることがきるコンピュータプログラムコードを含むコンピュータプログラムが提供される。当該コードは、第一無線トランシーバデバイスに、受信された能力情報に基づく電力節約モード設定についての電力節約情報を、第二トランシーバデバイスへ送信させることができる。電力節約情報は、第二トランシーバデバイスのスリープ期間とアクティブ期間とについての情報を含む。当該コードは、さらに、第一無線トランシーバデバイスに、電力節約モード設定にしたがった第二無線トランシーバデバイスのスリープ期間の終わりに伴い、第一無線トランシーバデバイスとの第二無線トランシーバデバイスの再同期を容易にするために、電力節約モード設定に少なくとも部分的に基づくタイミングを持つ同期信号を送信させることができる。
【００２５】
本発明の他の観点によれば、デバイスツーデバイス（Ｄ２Ｄ）通信内の第一無線トランシーバデバイスと第二無線トランシーバデバイスとの間の無線Ｄ２ＤリンクをサポートするＤ２Ｄ通信ネットワークにおいて、第一無線トランシーバデバイスを介してセルラー通信ネットワークへのアクセスが第二無線トランシーバデバイスに提供され、第二無線トランシーバデバイスのプロセッサ回路上で実行されると、第二無線トランシーバデバイスに、無線Ｄ２Ｄ通信リソース上で、能力情報を第一無線トランシーバデバイスへ送信させることがきるコンピュータプログラムコードを含むコンピュータプログラムが提供される。当該コードは、さらに、電力節約モード設定についての電力節約情報を第二無線トランシーバデバイスに決定させることができ、電力節約情報は、第二トランシーバデバイスのスリープ期間とアクティブ期間についての情報を含む。当該コードは、さらに、第二無線トランシーバデバイスに、電力節約モード設定にしたがってスリープ期間に遷移させることができる。当該コードは、さらに、第二無線トランシーバデバイスに、スリープ期間の終わりに伴い、第一無線トランシーバデバイスから同期信号を受信することによって第一無線トランシーバデバイスと再同期させることができる。
【００２６】
本開示の他の観点によれば、本開示のコンピュータプログラムの実施形態と当該コンピュータプログラムが記憶されたコンピュータ可読手段とを含むコンピュータプログラムプロダクトが提供される。
【００２７】
本開示の観点によって、電力節約モードは、第二無線トランシーバデバイスが第一無線トランシーバデバイス（少なくとも部分的にリレーとして動作する）を介して接続される、マルチホップシナリオにおいて、第二無線トランシーバデバイスにおいて設定可能である。第一無線トランシーバデバイスは、セルラー無線通信ネットワークのネットワークノードの代わりに第二無線トランシーバデバイスを取り扱う限りにおいて異なっている。よって、電力が第二無線トランシーバデバイスにおいて節約可能となる。
【００２８】
「電力節約モード」は広い感覚で解釈されるべきものと理解されるものであり、できる限り電力を節約し、かつ、バッテリーライフを延ばすために、無線トランシーバデバイスを非アクティブ状態（スリーブ状態またはパワーオフ状態）に滞在させるように適合したいずれかの技術に言及した、３ＧＰＰで策定された既存の電力節約モードによって限定されるものではない。一例として、電力節約モードは、タイマーベースのものであってもよく、無線トランシーバデバイスはタイマーがセットされるごとに非アクティブ状態に一回遷移する。無線トランシーバデバイスは、タイマーがセットされると非アクティブ状態に遷移する。無線トランシーバデバイスが非アクティブ状態である間は、タイマーは継続的に動作している。タイマーが切れると、無線トランシーバデバイスは非アクティブ状態からアクティブ状態に変化する。他の例では、電力節約モードは、アクティブ期間と非アクティブ期間との間でトグルする（切り替わる）ように無線デバイスをトリガーすることによって実現されてもよい。無線トランシーバデバイスは、規定された周期でもって非アクティブ期間とアクティブ期間との間で切り替わってもよい。さらに他の例によれば、電力節約モードはイベントによってトリガーされてもよく、たとえば、無線トランシーバデバイスはある条件（ペイロードの配送が終わるなど）が満たされたときに非アクティブ状態に遷移し、他の条件（データペイロードの到着など）が満たされると非アクティブ状態を抜け出す。「削減された電力モード」という用語は「電力節約モード」と相互に交換可能に使用されてもよい。また、「スリープ期間」という用語は「非アクティブ期間」という用語と相互に置換されてもよい。ここで議論される期間／状態は必ずしも周期的でなくてもよいため、「期間」という用語に代えて、スリープ／非アクティブ状態またはアクティブ状態のように、「状態」という用語が使用されてもよい。
【００２９】
なお、いずれかの観点におけるいずれかの特徴はそれが適切である限り、他の観点に適用されてもよい。同様に、いずれかの観点におけるいずれかの利点はいずれかの他の観点に適用されうる。添付の実施形態の他の目的、特徴および利点は以下の詳細な開示、添付の特許請求の範囲および図面から明白となろう。
【００３０】
一般に、特許請求の範囲で使用されるすべての用語は、明示的に他の定義がなされていない限り、当該技術分野における一般的な意味に解されるべきである。「要素、装置、コンポーネント、手段、ステップ、その他」についての言及は、明示的に他のものを指していない限り、少なくとも一つの要素、装置、コンポーネント、手段、ステップ、その他に言及しているものとしてオープンに解釈されるべきである。ここで開示されるいずれかの方法のステップは、明示的に言及されない限り、開示された順番の通りに実行される必要は無い。本開示における異なる特徴／コンポーネントについて「第一」、「第二」、その他の使用は、特徴／コンポーネントを他の特徴／コンポーネントと区別することだけが意図されており、特徴／コンポーネントに順番や階層を与えるものではない。
【図面の簡単な説明】
【００３１】
実施形態はさらに詳細にかつ添付の図面を参照しながら一例として説明される。
【図１】本開示に従った通信ネットワークの実施形態を示す図である。
【図２ａ】本開示に従った無線トランシーバデバイスの実施形態を示すブロック図である。
【図２ｂ】本開示に従った第一無線トランシーバデバイスの実施形態の機能モジュールを示すブロック図である。
【図２ｃ】本開示に従った第二無線トランシーバデバイスの実施形態の機能モジュールを示すブロック図である。
【図３】本開示に従ったコンピュータプログラムプロダクトの実施形態を示す図である。
【図４】本開示に従った第一および第二無線トランシーバデバイスの間でのＤ２Ｄシグナリングを示すシグナリングシーケンス図である。
【図５ａ】第一無線トランシーバデバイスによって実行される方法の実施形態を示すフローチャートである。
【図５ｂ】第一無線トランシーバデバイスによって実行される方法の他の実施形態を示すフローチャートである。
【図６ａ】第二無線トランシーバデバイスによって実行される方法の実施形態を示すフローチャートである。
【図６ｂ】第二無線トランシーバデバイスによって実行される方法の他の実施形態を示すフローチャートである。
【発明を実施するための形態】
【００３２】
以下では実施形態を示す添付の図面を参照しながら実施形態がより完全に説明される。しかし、本開示の範囲内で、多くの異なる形態の他の実施形態も可能である。本開示が十分で完全なものとなるように例示によって以下の実施形態が提供され、当業者に対して本開示の範囲を完全に伝えることになる。本説明の全般にわたって同様の要素には同様の番号が付与される。
【００３３】
ＰＳＭプロシージャとそれに対応する構成がここでは開示され、これは、たとえばＬＴＥにおけるマルチホップシナリオと、たとえばＭＴＣなどの無線トランシーバデバイスと、リレーノードと、たとえばＬＴＥなどのセルラー通信ネットワークのシステムバンド幅よりも小さなシステムバンド幅を用いてＤ２Ｄを使用した相互の通信とに適している。スリープ期間タイマーが満了した後での再同期が失敗した場合に、再確立プロシージャがさらに提供される。
【００３４】
図１は、ここで提供される実施形態を適用可能なＤ２Ｄネットワーク１０ａとセルラーネットワーク１０ｂとを有する通信ネットワーク１０を示した図である。通信ネットワーク１０は、以下で説明される原理を適用できる限りにおいて、一般に、Ｗ−ＣＤＭＡ（ワイドバンド符号分割多元接続）、ＬＴＥ（ロングタームエボリューション）、ＥＤＧＥ（ＧＳＭエボリューションのための拡張データレートもしくは拡張ＧＰＲＳ（汎用パケット無線サービス））、ＣＤＭＡ２０００（符号分割多元接続２０００）、時分割同期符号分割多元接続（ＴＤ−ＳＣＤＭＡ）、その他などのうちのいずれか一つまたはそれらのコンビネーションに準拠していてもよい。
【００３５】
セルラー通信ネットワーク１０ｂは少なくとも一つのネットワーク（ＮＷ）ノード１１を含む。ネットワークノード１１は無線アクセスネットワーク（ＲＡＮ）ノードであってもよく、無線基地局、ベーストランシーバ局、無線ネットワーク制御装置、ノードＢ、ｅＮＢ、または、ＷｉＦｉアクセスポイントそして提供されてもよい。
【００３６】
少なくとも一つのネットワークノード１１は動作可能にコアネットワーク１４と接続し、無線デバイス（ＷＤ）１２ａ、１２ｂ、１２ｃ、１２ｄ、１２ｅへの無線コネクティビティの形式でサービスネットワーク１５（たとえばインターネット）へのネットワークアクセスを提供できるよう、無線基地局として機能するように配置されてもよい。無線デバイス１２ａ−ｅは、ユーザ装置（ＵＥ）、スマートフォン、タブレットコンピュータ、ラップトップコンピュータ、ステーショナリーコンピュータ、デバイツーデバイス（Ｄ２Ｄ）通信デバイス、マシンタイプ通信（ＭＴＣ）デバイス、無線センサ、その他などのいずれかのコンビネーションであってもよい。無線デバイス１２ａ−ｅは、したがって、ネットワークノード１１への無線コネクションを確立することによって、サービスネットワーク１５によって提供されるサービスおよびデータを有効化される。しかし、無線デバイス１２ａ−ｅのいくつか、たとえば、無線デバイス１２ｃを除いた残りのすべての無線デバイスは、ネットワークノード１１に対する直接的な無線コネクションを確立できなくてもよい。代わりに、これらの無線デバイス１２ａ、１２ｂ、１２ｄ、１２ｅはネットワークノードに対する間接的な無線コネクション（つまり、各ペアとなるリンク間で中継器として動作する、無線デバイス１２ａ−ｅのうちの一つと少なくとも二つのリンクを介して）を確立しうる。そのようなリンクはＤ２Ｄ通信に基づいて確立されてもよい。一般に、Ｄ２Ｄ通信は、二つの無線デバイス間においてダイレクトディスカバリ（直接探索）とダイレクト通信とを含む。いくつかのコンテキストによれば、Ｄ２Ｄ通信リンクはサイドリンクと呼ばれることもあろう。
【００３７】
このようにして、リレー（中継器）として動作する無線デバイス１２ａ、１２ｃ、１２ｄと、ＭＴＣデバイスとして動作する無線デバイス１２ｂ、１２ｅとの間の柔軟なＤ２Ｄ通信リンクを用いるマルチホップシステムがセットアップされる。しかし、リレーとして動作する無線デバイスとＭＴＣデバイスとして動作する無線デバイスとの間のリンクを効率よくセットアップする規格は現在のところ存在しない。ここでは、Ｄ２Ｄネットワーク１０ａにおけるＷＤ１２ｂは、セルラーネットワーク１０ｂへのアクセスを取得するためにリレーとして第一無線トランシーバデバイスを使用する第二無線トランシーバデバイスとしてみなされるように選択される。第一無線トランシーバデバイス１２ａはセルラーネットワーク１０ｂのＮＷノード１１に対して直接的に接続されていてもよいし、第三無線トランシーバデバイス１２ｃを介して間接的に接続されていてもよい。
【００３８】
図２ａは、いくつかの機能ユニットの観点から、実施形態にしたがった無線デバイス１２ａ、１２ｂ、１２ｃ、１２ｄ、１２ｅのコンポーネントを示している。プロセッシングユニット（いわゆるプロセッサ回路）２１は、たとえば、データ記憶装置２３の形式のコンピュータプログラムプロダクト３０（図３）に記憶されたソフトウエアインストラクションを実行可能な、適切な中央処理装置（ＣＰＵ）、マルチプロセッサ、マイクロコントローラ、デジタル信号プロセッサ（ＤＳＰ）、特定用途集積回路（ＡＳＩＣ）、フィールドプログラマブルゲートアレイ（ＦＰＧＡ）、その他などのうちの一つ以上のいずれかの組み合わせを使用して適用される。よって、これによりプロセッシングユニット２１はここで開示されるような方法を実行するように構成されている。記憶媒体２３は、さらに、たとえば、磁気メモリ、光学メモリ、ソリッドステートメモリ、またはリモートでマウントされたメモリのうちのいずれか一つまたは組み合わせである、持続的な記憶装置を含んでもよい。無線デバイス１２ａ−ｅは、さらに、他の無線デバイス１２ａ−ｅおよび／またはネットワークノード１１と通信するための通信インタフェース２２を含んでもよい。同様に、通信インタフェース２２は、アナログおよびデジタルコンポーネントや無線通信のための適切な数のアンテナを含む、一つ以上の送信機及び受信機を含んでもよい。プロセッシングユニット２１は、たとえば、データおよび制御信号を通信インタフェース２２や記憶媒体２３に送信したり、通信インタフェース２２からデータや報告を受信したり、記憶媒体２３からデータやインストラクションを抽出することによって、無線デバイス１２ａ−ｅの一般的な動作を制御する。機能的に関連している限りにおいて、無線デバイス１２ａ−ｅの他のコンポーネントは、ここで提供されるコンセプトを邪魔しないように、省略されている。無線デバイス１２ａ−ｅはスタンドアローンデバイスとして提供されてもよいし、他のデバイスの一部として提供されてもよい。たとえば、無線デバイス１２ａ−ｅはここで説明されるようにリレーデバイスの中に、またはＭＴＣデバイスの中に提供されてもよい。
【００３９】
よって、本開示の観点によれば、デバイスツーデバイス（Ｄ２Ｄ）通信における第一無線トランシーバデバイスと第二無線トランシーバデバイスとの間の無線Ｄ２ＤリンクをサポートするＤ２Ｄネットワーク１０ａのための第一無線トランシーバデバイス１２ａが提供される。第一無線トランシーバデバイスは、第一無線トランシーバデバイスを介してセルラー通信ネットワーク１０ｂへのアクセスを第二無線トランシーバデバイスに提供するように構成されている。第一無線トランシーバデバイスは、プロセッシングユニット２１と、当該プロセッシングユニット２１により実行可能なインストラクション３１を記憶する記憶媒体２３とを有し、これにより、第一無線トランシーバデバイス１２ａは、無線Ｄ２Ｄ通信リソース上で、第二無線トランシーバ１２ｂから能力情報を受信するように動作可能となる。第一無線トランシーバデバイスは、また、受信された能力情報に基づいて電力節約モード設定についての電力節約情報を第二トランシーバデバイス１２ｂに対して送信するように動作し、電力節約情報は第二トランシーバデバイスのスリープ期間とアクティブ期間とについての情報を含む。第一無線トランシーバデバイスは、さらに、電力節約モード設定にしたがった第二無線トランシーバデバイスのスリープ期間の終わりに伴い、第一無線トランシーバデバイス１２ａとの第二無線トランシーバデバイス１２ｂの再同期を容易にするために、電力節約モード設定に少なくとも部分的に基づくタイミングを持つ同期信号を送信するように動作する。
【００４０】
本開示の他の観点によれば、デバイスツーデバイス（Ｄ２Ｄ）通信ネットワーク内の第一無線トランシーバデバイス１２ａと第二無線トランシーバデバイスとの間の無線Ｄ２ＤリンクをサポートするＤ２Ｄ通信ネットワーク１０ａのための第二無線トランシーバデバイス１２ｂが提供される。第二無線トランシーバデバイスは、第一無線トランシーバデバイスを介したセルラー通信ネットワーク１０ｂへのアクセスを提供されるように構成されている。第二無線トランシーバデバイスは、プロセッシングユニット２１と、当該プロセッシングユニット２１により実行可能なインストラクション３１を記憶する記憶媒体２３とを有し、これにより、第二無線トランシーバデバイス１２ｂは、無線Ｄ２Ｄ通信リソース上で、第一無線トランシーバ１２ａへ能力情報を送信するように動作可能となる。第二デバイス１２ｂは、さらに、電力節約モード設定についての電力節約情報を決定するように動作可能であり、電力節約情報は、第二トランシーバデバイスのスリープ期間とアクティブ期間についての情報を含む。第二デバイス１２ｂは、さらに、電力節約モード設定にしたがってスリープ期間に遷移するように作動する。第二デバイス１２ｂは、さらに、スリープ期間の終わりに伴い、第一無線トランシーバデバイスから同期信号を受信することによって第一無線トランシーバデバイス１２ａと再同期するように作動する。
【００４１】
図２ｂは第一無線トランシーバデバイス１２ａの実施形態を機能的に示すブロック図である。すでに言及したように、プロセッサ回路２１は、第一デバイス１２ａに本開示の方法の実施形態を実施するように可能ならしめるソフトウエア３１を実行してもよく、これにより、第一デバイス１２ａにおいて、たとえば本方法の複数のステップを実行するようにプロセッサ回路２１の内部に機能モジュールが形成されうる。これらのモジュールは第一デバイス１２ａ内でブロックとして図示されている。よって、第一デバイス１２ａは、無線Ｄ２Ｄ通信リソース上で、第二無線トランシーバデバイス１２ｂから能力情報を受信するための受信機モジュール２４を含む。さらに、第一デバイスは、受信された能力情報に基づいて電力節約モード設定についての電力節約情報を第二トランシーバデバイス１２ｂに対して送信するための送信機モジュール２５を含み、電力節約情報は第二トランシーバデバイスのスリープ期間とアクティブ期間とについての情報を含む。さらに、送信機モジュールは、電力節約モード設定にしたがった第二無線トランシーバデバイスのスリープ期間の終わりに伴い、第一無線トランシーバデバイス１２ａとの第二無線トランシーバデバイス１２ｂの再同期を容易にするために、電力節約モード設定に少なくとも部分的に基づくタイミングを持つ同期信号を送信するように構成されている。第一デバイス１２ａのいくつかの実施形態によれば、第一デバイスはさらに、電力節約モード設定にしたがって第二無線トランシーバデバイスのスリープ期間の間に、第二無線トランシーバデバイス１２ｂを宛先とした情報であってセルラーネットワーク１０ｂ（たとえばネットワークノード１１）から受信された情報を記憶するための記憶モジュールを有している。それらの実施形態によれば、送信機モジュールは、さらに、電力節約モード設定にしたがった第二無線トランシーバデバイスのアクティブ期間において、第二無線トランシーバデバイス１２ｂに対して記憶されている情報を送信するように構成されてもよい。
【００４２】
図２ｃは第二無線トランシーバデバイス１２ｂの実施形態を機能的に示すブロック図である。すでに言及したように、プロセッサ回路２１は、第二デバイス１２ｂに本開示の方法の実施形態を実施するように可能ならしめるソフトウエア３１を実行してもよく、これにより、第二デバイス１２ｂにおいて、たとえば本方法の複数のステップを実行するように、プロセッサ回路２１の内部に機能モジュールが形成されうる。これらのモジュールは第二デバイス１２ｂ内でブロックとして図示されている。よって、第二デバイス１２ｂは、無線Ｄ２Ｄ通信リソース上で、第一無線トランシーバデバイス１２ａへ能力情報を送信するための送信機モジュール２５を含む。第二デバイス１２ｂは、さらに、電力節約モード設定について、電力節約情報を決定する（たとえば、受信機モジュール２４によってたとえばＮＷノード１１を介してセルラーネットワーク１０ｂから電力節約情報を受信することを含む）ためのＰＳＭ情報決定モジュール２７を有し、電力節約情報は第二無線トランシーバデバイスのスリープ期間とアクティブ期間とについての情報を含む。第二デバイス１２ｂは、さらに、電力節約モード設定にしたがってスリープ期間に遷移するためのスリープモード遷移モジュール２８を有する。第二デバイス１２ｂは、さらに、スリープ期間の終わりに伴い、受信機モジュール２４によって第一無線トランシーバデバイスから同期信号４４を受信することによって第一無線トランシーバデバイス１２ａと再同期するための、再同期モジュール２９を含む。
【００４３】
図３はコンピュータプログラムプロダクト３０を示している。コンピュータプログラムプロダクト３０は、コンピュータにより実行可能なコンポーネント３１の形式で、コンピュータプログラム３１を含むコンピュータ可読媒体３２を含む。コンピュータプログラム／コンピュータ実行可能コンポーネント３１は、無線トランシーバデバイス１２、たとえば、ここで議論されている第一デバイス１２ａまたは第二デバイス１２ｂに、本開示の方法の実施形態を実行させるように構成されていてもよい。コンピュータプログラム／コンピュータ実行可能コンポーネントは、デバイスに本方法を実行させるために、デバイス１２のプロセッサ回路２１上で実行されてもよい。コンピュータプログラムプロダクト３０は、たとえば、デバイス１２内に含まれ、プロセッサ回路２１に関連付けられた記憶装置またはメモリ２３の中に含まれていてもよい。あるいは、コンピュータプログラムプロダクト３０は、たとえばＣＤ、ＤＶＤもしくはハードディスク／ドライブなどのコンピュータ可読ディスク、または、たとえばＲＡＭもしくはフラッシュメモリなどのソリッドステート記憶媒体のような、セパレートされた、たとえば、移動可能な記憶手段であるか、そのような記憶手段の一部であってもよい。
【００４４】
図４は本開示に従った第一および第二無線トランシーバデバイス１２ａ、１２の間でのＤ２Ｄシグナリングを示すシグナリングシーケンス図である。第二デバイス１２ｂ（たとえば、ＭＴＣデバイス）が第一デバイス１２ａ（たとえば、リレー／リモートノード）を一度検知すると、能力情報４１を第一デバイスへ送信する。当該情報は、第一の構成されたサブチャネル（典型的には、六つの中央物理リソースブロックＰＲＢ）上で送信される。ＰＳＭ設定は、第一のセットの周波数／時間（ｆ／ｔ）リソース上で第二デバイスへ送信される第一に、スケジューリング割り当て（ＳＡ）４２（他のＳＡと区別するために図では４２ａと呼ばれている）が送信され、そしてアクティブ期間とスリープ／非アクティブ期間とのためのタイマーや、可能であれば、使用されるＤＲＸサイクルやアクティブ期間においてリッスンされるべき信号やチャネルについての他の情報などを含む、実際のＰＳＭ情報４３が送信される。ＰＳＭ設定は、さらに、すぐにやってくるセッションにおいて通信するための第二セットのｆ／ｔリソースを含んでもよい。そして、第二デバイスは、通信インタフェース２２のトランシーバ（ＴＲＸ）が電源オフされるスリープ期間に遷移して、スリープする。可能であれば、スリープ期間タイマーを動作させるタイムキーピング機能を除き、第二デバイス１２ｂのすべての機能が電源オフされてもよい。スリープ期間は用途に依存して数分から数時間の長さを有してもよい。スリープ期間タイマーが満了しそうになると、第二デバイスは、第一デバイス１２ａから第一または第二ｆ／ｔリソース上で送信されるＤ２Ｄ同期信号（ＳＳ）４４と同期することによって、再同期を実行する。そして、第二デバイス１２ｂは、ウェイクアップ信号４５を受信し、１５秒から３０秒にわたるアクティブ期間中に、設定されたＤＲＸサイクル（たとえば、２．５６秒ごと）にしたがってＮＷ１０から潜在的なページング信号をモニターする。アクティブ期間タイマーは、たとえば、スリープ期間タイマーが満了したこと、または、ウェイクアップ信号４５を受信したことに応じて、スタートされる。アクティブ期間において、第二デバイス１２ｂは、スケジューリングリクエスト４２ｂだけでなく、第二デバイス１２ｂを宛先とするデータ４６を受信してもよい。そして、第二デバイスは再びスリープし、スリープ期間タイマーを起動する。
【００４５】
図５ａは、第一無線トランシーバデバイス１２ａによって実行される方法の実施形態を示すフローチャートである。第一無線トランシーバデバイス１２ａは、Ｄ２Ｄネットワークにおいて第一無線トランシーバデバイスと第二無線トランシーバデバイスとの間の無線Ｄ２ＤリンクをサポートするＤ２Ｄ通信ネットワーク１０ａに位置している。第二無線トランシーバデバイスは、典型的にはリレーとして動作する第一無線トランシーバデバイスを介してセルラー通信ネットワーク１０ｂへのアクセスを提供される。第一デバイス１２ａは、無線Ｄ２Ｄ通信ｔ／ｆリソース上で、第二無線トランシーバデバイス１２ｂから能力情報を受信する（Ｓ１０）。そして、第一デバイス１２ａは、受信された能力情報に基づく電力節約モード設定についての電力節約情報４３を、第二トランシーバデバイス１２ｂに送信する（Ｓ２０）。電力節約情報は、第二トランシーバデバイスのスリープ期間とアクティブ期間とについての情報を含む。さらに、第一デバイス１２ａは、電力節約モード設定にしたがった第二無線トランシーバデバイスのスリープ期間の終わりに伴い、第一無線トランシーバデバイス１２ａとの第二無線トランシーバデバイス１２ｂの再同期を容易にするために、電力節約モード設定に少なくとも部分的に基づくタイミングで同期信号４４を送信する（Ｓ３０）。第一デバイス１２ａはＳ２０で送信した情報についての電力節約モード設定について少なくとも部分的に知っているため、第二デバイス１２ｂが同期信号４４をリッスンすることを期待できるときに、同期信号４４を送信してもよい。
【００４６】
図５ｂは、第一無線トランシーバデバイス１２ａによって実行される方法の他の実施形態を示すフローチャートである。能力情報の受信ステップＳ１０、電力節約情報の送信ステップＳ２０、および、同期信号の送信ステップＳ３０は、図５ａにおいて議論された通りである。
【００４７】
さらに、能力情報４１がＳ１０で受信された後に、第一デバイス１２ａは、いくつかの実施形態において、Ｓ１０で受信された能力情報についての情報を、セルラーネットワーク１０ｂ、たとえば、ＮＷノード１１に対して送信してもよい（Ｓ１２）。そして、第一デバイス１２ａは、第二トランシーバデバイス１２ｂに電力節約情報４３をＳ２０で送信する前に、セルラーネットワーク１０ｂから電力節約モード設定についての電力節約情報を受信してもよい（Ｓ１４）。電力節約情報４３は、よって、第二デバイス１２ｂへ電力節約情報４３が送信される前に第一デバイス１２ａが自分自身で編集したというよりは、セルラーＮＷ１０から受信されたものであってもよい。
【００４８】
さらにまたは代替的に、第一デバイス１２ａはいくつかの実施形態において、Ｓ２０で送信された電力節約モード設定にしたがった第二無線トランシーバデバイスのスリープ期間の間に、第二無線トランシーバデバイス１２ｂを宛先とした情報であってセルラーネットワーク１０ｂから受信された情報を記憶する（Ｓ２２）。そして、その後のステージで、第一デバイス１２ａは、電力節約モード設定にしたがった第二無線トランシーバデバイスのアクティブ期間において、第二無線トランシーバデバイス１２ｂへ、Ｓ２２で記憶された情報を送信してもよい（Ｓ３４）。
【００４９】
さらにまたは代替的に、本開示のいくつかの実施形態において、同期信号４４の送信（Ｓ３０）の後で、第一デバイス１２ａは、電力節約モード設定にしたがったアクティブ期間に遷移するよう、第二無線トランシーバデバイス１２ｂに促すためのウェイクアップ信号４５を送信してもよい（Ｓ３２）。
【００５０】
さらにまたは代替的に、本開示のいくつかの実施形態において、第二デバイス１２ｂがアクティブ期間においてアクティブになると、第一デバイス１２ａはセルラーＮＷ１０ｂ、たとえば、ＮＷノード１１からのいずれかのページング情報を第二デバイスへ転送してもよい（Ｓ３６）。これは、Ｓ２２で記憶されたページング情報の送信（Ｓ３４）に対して追加されてもよい。
【００５１】
図６ａは、第二無線トランシーバデバイス１２ｂによって実行される方法の実施形態を示すフローチャートである。第二デバイス１２ｂは、Ｄ２Ｄネットワークにおいて第一無線トランシーバデバイス１２ａと第二無線トランシーバデバイスとの間の無線Ｄ２ＤリンクをサポートするＤ２Ｄ通信ネットワーク１０ａ内に位置している。第二無線トランシーバデバイスは、第一無線トランシーバデバイスを介してセルラー通信ネットワーク１０ｂへのアクセスを提供される。第二デバイス１２ｂは、無線Ｄ２Ｄ通信リソース上で、第一無線トランシーバデバイス１２ａへ能力情報を送信する（Ｓ１１０）。その前後で、第二デバイス１２ｂが電力節約モード設定についての電力節約情報を決定するが（Ｓ１２０）、電力節約情報は、第二トランシーバデバイスのスリープ期間とアクティブ期間についての情報を含む。そして、Ｓ１２０で決定された情報にかかる電力節約モード設定にしたがって、第二デバイス１２ｂはスリープ期間に遷移する（Ｓ１３０）。スリープ期間の終わりに伴い、第二デバイス１２ｂは、第一無線トランシーバデバイスから受信された同期信号４４による補助を受けて、第一無線トランシーバデバイス１２ａと再同期する（Ｓ１４０）。
【００５２】
図６ｂは、第二無線トランシーバデバイス１２ｂによって実行される方法の他の実施形態を示すフローチャートである。能力情報の送信ステップＳ１１０、電力節約情報の決定ステップＳ１２０、スリープ期間への遷移ステップＳ１３０、および、第一デバイス１２ａとの再同期のステップＳ１４０は図６ａを用いて説明された通りである。
【００５３】
さらに、本開示のいくつかの実施形態において、Ｓ１２０の電力節約情報の決定は、第二デバイスが第一無線トランシーバデバイス１２ａから電力節約情報４３を受信すること（Ｓ１２２）を含む。さらに、電力節約情報４３は、第二デバイス１２ｂにおいて事前に設定されていてもよい。
【００５４】
さらにまたは代替的に、第一セットのＤ２Ｄ通信リソース上で電力節約情報４３がＳ１２２で受信される、本開示のいくつかの実施形態において、第二デバイス１２ｂは、第一セットの通信リソースとは少なくとも部分的に異なっている第二セットのｆ／ｔリソース上で同期信号４４を受信する（Ｓ１４１）。そして、第二デバイス１２ｂは、再同期Ｓ１４０の一部として、第二セットの通信リソース上で、同期に成功してもよい（Ｓ１４２）。
【００５５】
代替的に、第一セットのＤ２Ｄ通信リソース上で電力節約情報４３がＳ１２２で受信される、本開示のいくつかの実施形態において、第二デバイス１２ｂは、Ｓ１４１でＳＳ４４を受信することができなかったことで、第二セットの通信リソース上での同期に失敗したことを判定してもよい（Ｓ１４５）。そして、第二デバイス１２ｂは、同期信号４４を第一セットの通信リソース上で受信することに成功し（Ｓ１４６）、再同期Ｓ１４０の一部として、第一セットの通信リソース上で同期してもよい（Ｓ１４７）。
【００５６】
一般に、第一セットのリソースは、複数の第二デバイス１２ｂと接続を開始するために第一デバイス１２ａによって使用されてもよく、これは第一セットのリソースを停滞させないために、その後の通信のために第二セットのリソースを使用するよう各第二デバイスに指示することが便利であろう。第二セットのリソース（異なる第二デバイス１２ｂについて同一であっても違っていてもよい）についての情報は、たとえば、第二デバイスによってＳ１２２で受信される電力節約情報の一部として第二デバイス１２ｂのそれぞれに送信されてもよいし、または、電力節約情報とは別に送信されてもよい。しかし、第二デバイス１２ｂが第二セットのリソースを用いた再同期に失敗した場合、第一セットのリソースを使用することに戻ってもよい。第二デバイス１２ｂが第一リソース上での再同期にも成功しなかった場合、第二デバイス１２ｂは電力節約モードにとどまってもよい。
【００５７】
さらにまたは代替的に、本開示の方法のいくつかの実施形態において、第二デバイス１２ｂは、Ｓ１４０の再同期の後で、電力節約モード設定にしたがったアクティブ期間に遷移するよう、第二無線トランシーバデバイス１２ｂに促すためのウェイクアップ信号４５を受信してもよい（Ｓ１５０）。もしＳ１５０で何らのウェイクアップ信号も受信されなければ、第二デバイスは、スリープモードに遷移し、スリープ期間タイマーを再スタートすることによって、再びスリープに戻ってもよい。
【００５８】
本開示の方法のいくつかの実施形態において、電力節約情報４３は、第一セットのＤ２Ｄ通信リソース上で、第一デバイス１２ａから送信され（Ｓ２０）、第二デバイス１２ｂによって受信されるが（Ｓ１２２）、この第一セットの通信リソースは第一無線トランシーバデバイス１２ａのための利用可能な通信リソースのサブセットである。いくつかの実施形態において、さらに電力節約情報４３は、第一無線トランシーバデバイス１２ａと第二無線トランシーバデバイス１２ｂとの間のＤ２Ｄ通信のための第二セットの通信リソースについての情報を含むが、この第二セットの通信リソースは、第一セットの通信リソースとは少なくとも部分的に異なる、第一無線トランシーバデバイスのために利用可能な通信リソースのサブセットである。いくつかの実施形態において、同期信号４４は、第二セットの通信リソース上で、第一デバイス１２ａによって送信され（Ｓ３０）、受信されるであろう（Ｓ１４１）。
【００５９】
本開示の方法のいくつかの実施形態において、電力節約情報４３は、さらに、アクティブ期間中に第二無線トランシーバデバイス１２ｂがモニターすべきである信号についての情報を含む。電力節約情報４３は、たとえば、使用されるＤＲＸサイクルについての情報を含む。
【００６０】
本開示の方法のいくつかの実施形態において、電力節約情報は、電力節約モード設定にしたがって、第二無線トランシーバデバイス１２ｂのスリープ期間中に動作するスリープ期間タイマーと、第二無線トランシーバデバイスのアクティブ期間中に動作するアクティブ期間タイマーとについての情報を含む。
【００６１】
例１  −ＭＴＣ  ＵＥである第二デバイス１２ｂによって実行される方法−
ＭＴＣ  ＵＥ１２ｂはリレーノード１２ａ（第一デバイス）を検知し、第一の事前に設定されたセットのリソース上で、コネクションを開始する。ＵＥ能力情報はリレーノード１２ａに対して送信される（Ｓ１１０）。
【００６２】
ＵＥ１２ｂはＰＳＭ設定（アクティブ期間タイマー、スリープ期間タイマー、アクティブモード中のＤＲＸサイクル、第二セットのｆ／ｔリソースなど）を決定する（Ｓ１２０）。決定（Ｓ１２０）はリレーノード１２ａからＰＳＭ設定メッセージを受信すること（Ｓ１２２）によってＵＥ１２ｂによって実行されてもよい。他の実施形態において、ＰＳＭ設定は、規格によって事前に決定されていてもよいし、たとえば、リレーノード１２ａによって送信されるディスカバリー情報によって決定（Ｓ１２０）されてもよい。
【００６３】
ＵＥ１２ｂはアクティブ期間タイマーが満了するとトランシーバを電源オフにし、スリープ期間に遷移する（Ｓ１３０）。スリープ期間タイマーが開始され、スリープ期間タイマーの経過を追うための粗いクロック（および対応する必要なハードウエア）だけが電源オンされる。
【００６４】
スリープ期間タイマーはモニターされ、満了に近づくと（たとえば満了の５ｍｓ〜５０ｍｓ前に）、ＭＴＣ  ＵＥ  １２ｂは無線受信機（およびたの必要な部分）を電源オンにし、リレーノード１２ａに対して再同期する（Ｓ１４０）。再同期はＤ２ＤＳＳ４４上でのタイミングをモニターして検知することによって実行される。いくつかの実施形態において再同期（Ｓ１４０）のために使用されるＤ２ＤＳＳは第一セットのリソース（ゆえに第二セットのリソース上でＳＡ４２とデータ４６とを受信するために搬送波周波数の再同調が必要になりうる）上で受信されてもよく（Ｓ１４６）、その一方で他の実施形態においては、第二セットのｆ／ｔリソース上でＳ１４１で受信されたＤ２ＤＳＳで再同期（Ｓ１４０）が実行される。いくつかの実施形態において、ＭＴＣデバイス１２ｂは最初に第一セットのリソース上でＤ２ＤＳＳに同期し、次に第二セットのリソース上のＤ２ＤＳＳに同期してもよい（各Ｄ２ＤＳＳの周期性に依存する）。
【００６５】
再同期が成功すると、ＭＴＣデバイス１２ｂは、設定されたＤＲＸサイクルのアクティブ時間にしたがって第二セットのリソース上のＳＡを読み出す。ＳＡ４２がＮＷ１０からのページング（または他の）情報を示す場合、それはＳＡによって指し示されている対応するデータ４６リソースを読み出す。これはアクティブ期間タイマーが満了するまで実行される。そして、スリープ期間タイマーがリスタートされ、第二デバイス１２ｂは再びスリープ期間に遷移する（Ｓ１３０）。
【００６６】
Ｓ１４５で第二セットのリソース上での再同期に失敗すると（つまり、事前に定義された＜設定情報から受信された＞時間中に、第二のｆ／ｔリソース上で、信頼性のある＜閾値を超えるような信号対雑音比［ＳＮＲ］を有する＞Ｄ２ＤＳＳが検出されないと）、ＭＴＣ  ＵＳ１２ｂは再確立プロシージャを開始する。ＭＴＣ  ＵＥ１２ｂは、第一セットのリソースを使用して再接続を試行する（第一セットのリソース上でのＤ２ＤＳＳに対する同期をＳ１４７で実行し、そしてコンタクトを開始する）。それに成功すると、Ｓ１２０でのＰＳＭ情報の決定に戻る。しかし、第一セットのリソース上での再同期にまたもや失敗すると（Ｓ１４６で第一セットのリソース上でのＤ２ＤＳＳの検出に失敗するか、または、能力情報の送信についてのレスポンスを受信できないなどのときに）、ＭＴＣ  ＵＥ１２ｂはＰＳＭ状態を抜け出す。
【００６７】
例２  −リレーノードである第一デバイス１２ａによって実行される方法−
リレー１２ａはＳ１０で第一セットのリソース上でＵＥ１２ｂから送信される能力情報を受信する。
【００６８】
オプションのステップにおいて、リレー１２ａは、Ｓ１２で、Ｄ２Ｄや他のリレーノード１２ｃを介して、ＵＥ１２ｂおよびその能力についてＮＷノード１２へ報告する。そして、オプションのステップにおいて、リレーノード１２ａは、Ｓ１４で、ＮＷノード１１からＰＳＭ設定情報（第二セットのｆ／ｔリソースを含む）を受信する。ＰＳＭ設定は、ＭＴＣ  ＵＥ１２ｂに関連した能力情報４１に少なくとも部分的に基づいている。
【００６９】
ＰＳＭ設定は、Ｓ２０で、リレー１２ａから、第一セットのｆ／ｔリソース上でＭＴＣ  ＵＥ１２ｂに対して送信される。
【００７０】
オプションのステップにおいて、ＭＴＣ  ＵＥ１２ｂのスリープ期間中に（つまり、ＵＥ１２ｂは、設定されたＤＲＸサイクルのアクティブ時間にしたがってＳＡ４２をモニターしていない）、Ｓ２２でリレーノード１２ａはＮＷノード１１から受信されたページング情報を記憶するが、このページングはＵＥ１２ｂに対して意図されたものである。そして、オプションのステップにおいて、ＭＴＣ  ＵＥ１２ｂのアクティブ期間中に（つまり、設定されたＤＲＸサイクルのアクティブ時間にしたがってＳＡ４２をモニタリングしているときに）、リレー１２ａは、Ｓ２２で記憶されたページング情報をＳ３４でＭＴＣ  ＵＥ１２ｂに対して送信する。
【００７１】
他のオプションのステップにおいて、ＭＴＣ  ＵＥ１２ｂのアクティブ期間中に、ＮＷノード１１（またはコアＮＷ１４）は、アクティブ期間の経過を追い、そして、ＮＷノード１１は、ＵＥ１２ｂのアクティブ期間中にだけ、ＭＴＣ  ＵＥ１２ｂをページング（呼び出し）する。
【００７２】
そして、ＵＥ１２ｂのアクティブ期間中に、リレーノード１２ａがＮＷノード１１からページング情報を受信し、Ｓ３６で、受信されたページング情報をＭＴＣ  ＵＥ１２ｂへ転送する。
【００７３】
上記のすべての実施形態において、ページングは、ＭＴＣ  ＵＥ１２ｂがＰＳＭを抜け出すのに有効な情報を含んでいてもよい。
【００７４】
以下では本開示の他のいくつか観点と実施形態が続く。
【００７５】
本開示の観点によれば、デバイスツーデバイス（Ｄ２Ｄ）ネットワークの第一無線トランシーバデバイスと第二無線トランシーバデバイス１２ｂとの間の無線Ｄ２ＤリンクをサポートするＤ２Ｄ通信ネットワーク１０ａのための第一無線トランシーバデバイス１２ａが提供される。第一無線トランシーバデバイスは、第一無線トランシーバデバイスを介してセルラー通信ネットワーク１０ｂへのアクセスを第二無線トランシーバデバイスに提供するように構成されている。第一無線トランシーバデバイスは、無線Ｄ２Ｄ通信リソース上で、第二無線トランシーバデバイス１２ｂから能力情報４１をＳ１０で受信するための手段２４を含む。第一無線トランシーバデバイスは、また、受信された能力情報に基づいて電力節約モード設定についての電力節約情報をＳ２０で第二トランシーバデバイス１２ｂに対して送信する手段２５を含み、電力節約情報は第二トランシーバデバイスのスリープ／非アクティブ期間とアクティブ期間とについての情報を含む。第一無線トランシーバデバイスは、さらにいくつかの実施形態において、電力節約モード設定にしたがった第二無線トランシーバデバイスのスリープ／非アクティブ期間の終わりに伴い、第一無線トランシーバデバイス１２ａとの第二無線トランシーバデバイス１２ｂの再同期を容易にするために、電力節約モード設定に少なくとも部分的に基づくタイミングを持つ同期信号４４をＳ３０で送信する手段２５を含む。
【００７６】
本開示の他の観点によれば、デバイスツーデバイス（Ｄ２Ｄ）通信における第一無線トランシーバデバイス１２ａと第二無線トランシーバデバイスとの間の無線Ｄ２ＤリンクをサポートするＤ２Ｄ通信ネットワーク１０ａのための第二無線トランシーバデバイス１２ｂが提供される。第二無線トランシーバデバイスは、第一無線トランシーバデバイスを介したセルラー通信ネットワーク１０ｂへのアクセスを提供されるように構成されている。第二無線トランシーバデバイスは、無線Ｄ２Ｄ通信リソース上で、第一無線トランシーバデバイス１２ａに対して能力情報４１をＳ１１０で送信する手段２５を含む。第二無線トランシーバデバイスは、さらに、電力節約モード設定についての電力節約情報をＳ１２０で決定する手段２７を含み、電力節約情報は、第二トランシーバデバイスのスリープ／非アクティブ期間とアクティブ期間についての情報を含む。第二無線トランシーバデバイスは、さらに、電力節約モード設定にしたがってスリープ／非アクティブ期間にＳ１３０で遷移する手段２８を含む。第二無線トランシーバデバイスは、いくつかの実施形態において、さらに、スリープ／非アクティブ期間の終わりに伴い、第一無線トランシーバデバイスから同期信号４４を受信することによって第一無線トランシーバデバイス１２ａとＳ１４０で再同期する手段２９を含む。
【００７７】
本開示の他の観点によれば、Ｄ２Ｄ通信ネットワーク内の第一無線トランシーバデバイスと第二無線トランシーバデバイスとの間の無線Ｄ２ＤリンクをサポートするＤ２Ｄ通信ネットワーク１０ａにおける当該第一無線トランシーバデバイスによって実行される方法が提供され、第二無線トランシーバデバイスは、第一無線トランシーバデバイスを介してセルラー通信ネットワーク１０ｂへのアクセスを提供される。本方法は、無線Ｄ２Ｄ通信リソース上で、第二無線トランシーバデバイス１２ｂからメッセージ４１をＳ１０で受信することを含む。メッセージは、第二無線トランシーバデバイスの電力節約の必要性についての情報を含む。メッセージは、たとえば、（ａ）能力情報、または、（ｂ）たとえば、スリープ期間タイマーおよび／またはアクティブ期間タイマーについてのタイマー情報を含む、電力節約モードへ遷移するための、第二デバイス１２ｂからのリクエストを含んでもよい。本方法は、また、Ｓ２０で第二無線トランシーバデバイスに対して設定を送信することを含む。当該設定は、第二無線トランシーバデバイスが遷移しうるスリープ期間（代替的に非アクティブ期間／状態と呼ばれてもよい）についての情報を提供する。当該設定は、たとえば、（ａ）第二デバイスの能力に基づいて第二デバイスのために第一デバイス１２ａによって用意された設定、または、（ｂ）電力節約モードを開始するための第二デバイスのリクエストの許可、可能なら第二デバイスのタイマーリクエストにおけるタイマー情報の更新などを、含んでもよい。当該設定は、たとえば、（ａ）タイマー（スリープから第二デバイスが抜け出すためにゼロに向かってカウントダウンするように動作する）、または、（ｂ）タイマー、アクティブ時間の期間、非アクティブ時間の期間などを含んでもよい。いくつかの実施形態において、本方法は、電力節約モード設定にしたがった第二無線トランシーバデバイスのスリープ期間の終わりに伴い、第一無線トランシーバデバイス１２ａとの第二無線トランシーバデバイス１２ｂの再同期を容易にするために、電力節約モード設定に少なくとも部分的に基づくタイミングで同期信号４４をＳ３０で送信することを含む。
【００７８】
本開示のいくつかの実施形態において、第一デバイス１２ａにおいて実行される本方法は、さらに、第二無線トランシーバデバイス１２ｂへ設定を送信する前に、第二無線トランシーバデバイスについて、セルラーネットワーク１０ｂにおけるネットワークノード１１に対して問い合わせを送信することを含む。本方法は、さらに、ネットワークノード１１から第二無線トランシーバデバイス１２ｂに関連した情報を受信することを含む（これはたとえば、第二デバイス１２ｂについての、モビリティ管理エンティティ（ＭＭＥ）からのページング関連情報、または、ホーム加入者サーバ（ＨＳＳ）において記憶されている情報であってもよい）。本方法はさらに、第二無線トランシーバデバイス１２ｂへ設定を送信させることを指示することを含んでもよい。
【００７９】
本開示のいくつかの実施形態において、第二無線トランシーバデバイス１２ｂからのメッセージ４１は、第二無線トランシーバデバイスの能力情報を含む。
【００８０】
本開示のいくつかの実施形態において、第二無線トランシーバデバイス１２ｂからのメッセージ４１は、スリープ期間／非アクティブ状態へ遷移するためのリクエストを含む。
【００８１】
本開示のいくつかの実施形態において、Ｓ２０で第二無線トランシーバデバイス１２ｂへ送信された設定は、スリープ期間／非アクティブ状態へ遷移するための第二無線トランシーバデバイス用のタイマーを含む。
【００８２】
本開示のいくつかの実施形態において、第二無線トランシーバデバイスへＳ２０で送信される設定は、スリープ期間／非アクティブ状態についての周期値を含む。
【００８３】
本開示のいくつかの実施形態において、第一デバイス１２ａによって実行される本方法は、さらに、第二無線トランシーバデバイス１２ｂのスリープ期間／非アクティブ状態の設定について、ネットワークノード１１に通知することを含む。
【００８４】
本開示の他の観点によれば、Ｄ２Ｄ通信ネットワーク内の第一無線トランシーバデバイス１２ａと第二無線トランシーバデバイスとの間の無線Ｄ２ＤリンクをサポートするＤ２Ｄ通信ネットワーク１０ａにおける当該第二無線トランシーバデバイスによって実行される方法が提供され、当該第二無線トランシーバデバイスは、第一無線トランシーバデバイスを介してセルラー通信ネットワーク１０ｂへのアクセスを提供される。本方法は、Ｓ１１０で、無線Ｄ２Ｄ通信リソース上で、第一無線トランシーバデバイス１２ａへ能力情報４１を送信することを含む。本方法は、電力節約モード設定についての電力節約情報４３をＳ１２０で決定することを含む。本方法はさらに、Ｓ１３０で電力節約モード設定にしたがって非アクティブ状態に遷移することを含む。いくつかの実施形態において、電力節約情報は、第二トランシーバデバイスの非アクティブ状態についての情報を含む。いくつかの実施形態において、本方法は、さらに、非アクティブ状態の終わりに伴い、第一無線トランシーバデバイスから同期信号４４を受信することによってＳ１４０で第一無線トランシーバデバイス１２ａと再同期することを含む。
【００８５】
本開示はいくつかの実施形態に関連して説明されてきた。しかし、当業者であればすぐに理解できるように、添付のクレームによって定義されているように、本開示の範囲内で、上述の実施形態とは異なる他の実施形態も等しく可能である。
【図１】
0006412644.tif 000002
【図２ａ】
0006412644.tif 000003
【図２ｂ】
0006412644.tif 000004
【図２ｃ】
0006412644.tif 000005
【図３】
0006412644.tif 000006
【図４】
0006412644.tif 000007
【図５ａ】
0006412644.tif 000008
【図５ｂ】
0006412644.tif 000009
【図６ａ】
0006412644.tif 000010
【図６ｂ】
0006412644.tif 000011